(57)【要約】  本発明は側面直火焼き装置に関するものであって、さらに詳しくは、肉が挟まれるグリルを垂直に配置し、グリルの両側にそれぞれ熱源が収容された加熱部を配置して肉の両面が同時に均一に焼けるようにして焼く時間を短縮し、垂直に位置するグリルにより肉から発生した油が使用者に跳ねず、下部に集まって除去されるので、肉の味と使用の便宜性を向上させることができる側面直火焼き装置に関するものである。
2018510756.tif 000002
【特許請求の範囲】
【請求項１】
支持台として用いられる複数の垂直フレーム（１１０）と、前記垂直フレーム（１１０）の上部と下部に前記垂直フレーム（１１０）と直交するように連結される複数の水平フレーム（１２０）とからなる胴体（１００）と、
前記胴体（１００）の上面に形成され、熱を反射させる素材で構成される壁体（２００）と、
上部が開放された直方体状に形成されて熱源が収容されるが、開放された上部に開閉可能に打孔板（３１１、３２１）が結合され、底面に複数の中空として気孔（３１２、３２２）が形成され、一側面に取っ手（３１３、３２３）が突出形成され、底面が前記水平フレーム（１２０）と垂直となるように前記胴体（１００）に挿入される第１加熱手段（３１０）と第２加熱手段（３２０）とを含んでなる加熱部（３００）と、
二つのグリル板（４１０）がヒンジ結合されるが、前記第１加熱手段（３１０）と第２加熱手段（３２０）との間に前記第１加熱手段（３１０）と第２加熱手段（３２０）と一定距離離隔されて前記水平フレーム（１２０）と垂直となるように前記胴体（１００）に挿入されるグリル（４００）と、を含むが、
前記第１加熱手段（３１０）と第２加熱手段（３２０）は前記打孔板（３１１、３２１）が対向するように前記胴体（１００）に挿入され、
前記加熱部（３００）は、
前記加熱部（３００）の内部に前記加熱部（３００）の底面と熱源との間に空間を形成する空間形成手段（３３０）と、前記空間形成手段（３３０）の上部に備えられ、熱源の位置を固定する位置固定手段（３４０）とが備えられることを特徴とする側面直火焼き装置。
【請求項２】
前記水平フレーム（１２０）は、
前記グリル（４００）を固定するグリル固定部（１２１）と、
前記加熱部（３００）を固定する加熱部固定部（１２２）とが形成されることを特徴とする、請求項１に記載の側面直火焼き装置。
【請求項３】
前記加熱部（３００）は、
前記打孔板（３１１、３２１）が開放されることを防止する固定手段（３５０）がさらに設置されることを特徴とする、請求項１に記載の側面直火焼き装置。
【発明の詳細な説明】
【技術分野】
【０００１】
本発明は側面直火焼き装置に関し、さらに詳しくは、肉が挟まれるグリルを垂直に配置し、グリルの両側にそれぞれ熱源が収容された加熱部を配置して肉の両面が同時に均一に焼けるようにして焼く時間を短縮し、垂直に位置するグリルにより肉から発生した油が重力作用によって下へ落ちるので、炭などの熱源に直接落ちることなく、それにより発生するダイオキシン等の有害物質が発生しないので、煙、煤及び肉の焦げなどを防止し、使用者に油が跳ねず、下に集まって除去されるので肉の味と使用の便宜性を向上させることで、直火焼きの長所のみを揃えた側面直火焼き装置に関する。
【背景技術】
【０００２】
最近、生活が豊かになり、食生活の西欧化に伴い、牛肉、豚肉、鶏肉、鴨肉などの各種の肉類及び魚類の摂取量が大幅に増大しており、肉類の調理方法もスープや蒸し物のような伝統的な方法から脱皮して火を通して食べる方法など多様化している。
【０００３】
牛肉、豚肉及び鶏肉などの焼き方法に対しては様々な方法が知られており、近年では炭や薪などを利用して焼く方法が普遍化しており、ガスを燃料として焼く焼き方法及び肉の切れを串に刺して焼くバーベキュー方式の焼き方法も依然として活用されている。
【０００４】
肉を焼くための装置としては、電気を利用した電気焼き装置と、ガス火を利用したガス焼き装置と、炭火を利用した炭火焼き装置に大別される。
【０００５】
ガス火を利用したガス焼き装置を利用することは、ガスの炎の調節が難しく、炎の形態及び加熱方法によって味が異なるため焼き方が困難であるという問題があり、また、炭火焼き装置で焼けた肉がロースト焼き装置や、ガス焼き装置を通じて焼けた肉に比べてその味が遥かに優れているため、消費者が炭火焼き装置の使用を選好している。
【０００６】
また、炭火焼き装置を利用して肉を焼く方法やバーベキュー方式の焼き方法は、炭や薪などを燃焼させる時に発生する炎及びその燃焼熱を利用して肉を焼く方式で、燃焼時に発生する遠赤外線により肉質を高め、味を向上させるという長所がある。
【０００７】
したがって、一般的に食堂や家庭などでは、牛肉や豚肉、鴨肉などのような肉類を焼く時に肉類の臭気を除去し、その味を向上させるために炭をよく用いている。
【０００８】
一方、各種肉類を火を通して食べる方式としては、韓国登録特許公報第１０−０９３８６３８号のように、炭火のような熱源が収容されたかまどの上部に焼き板を載置し、前記焼き板の上に焼こうとする肉類を置いた状態で火力を利用して肉類に火を通すことが一般的である。
【０００９】
しかしながら、このような一般的な肉の焼き方式では、火力が過度に強かったり焼き板が過度に熱くなった場合、肉の内部は十分に火が通らない状態で表だけが過度に焦げてしまう現象がよく発生するという問題があり、したがって肉を焼いている間に火力を頻繁に調節したり、焼き板を頻繁に交換しなければならないという煩わしさがある。
【００１０】
特に、野外で肉を焼いて調理する場合、前記かまど内の熱源に対する火力の調節が容易でないため、肉を最適の状態に焼くことが非常に不便であるという問題がある。
【００１１】
また、従来の焼き装置は、肉を焼く時に発生する油が炭などの熱源に直接落ちるため各種有害物質の発生はもちろん、煙が発生することになり、それにより調理された肉が黒く煤けたり、焦げたりする現象が発生して肉の味を低下させ、健康を損なう原因となっていた。
【発明の概要】
【発明が解決しようとする課題】
【００１２】
本発明はこのような従来の問題点を解決するためのものであって、側面直火焼き装置の胴体に肉が挟まれるグリルを垂直に挿入し、グリルの両側にそれぞれ熱源が収容された加熱部を配置して肉の両面が同時に均一に焼けるようにする側面直火焼き装置を提供することにその目的がある。
【００１３】
本発明の他の目的は、肉の両面が同時に焼けるようにして肉を裏返さなくてもよく、焼く時間を短縮することができる側面直火焼き装置を提供することにある。
【００１４】
本発明の他の目的は、肉が挟まれたグリルと加熱部との距離を調節可能にして熱源の火力によって距離を調節して肉を焼く過程で肉が焦げないようにし、肉が焼ける程度を最適な状態に調節可能にして肉の味と肉質を向上させることができる側面直火焼き装置を提供することにある。
【００１５】
本発明の他の目的は、肉から発生する油が使用者に跳ねず、下に集まって除去されるため油による火傷の危険がなく、油が熱源に直接落ちないので、それによるダイオキシンなどの有害物質の発生を防止し、煙と煤が発生せず、肉の焦げなどを防止することができるので、肉の味と使用の便宜性が向上した側面直火焼き装置を提供することにある。
【課題を解決するための手段】
【００１６】
本発明による側面直火焼き装置は、支持台として用いられる複数の垂直フレーム１１０と前記垂直フレーム１１０の上部と下部に前記垂直フレーム１１０と直交するように連結される複数の水平フレーム１２０とからなる胴体１００と、前記胴体１００の上面に形成され、熱を反射させる素材で構成される壁体２００と、上部が開放された直方体状に形成されて熱源が収容されるが、開放された上部に開閉可能に打孔板３１１、３２１が結合され、底面に複数の中空として気孔３１２、３２２が形成され、一側面に取っ手３１３、３２３が突出形成され、底面が前記水平フレーム１２０と垂直となるように前記胴体１００に挿入される第１加熱手段３１０と第２加熱手段３２０とを含んでなる加熱部３００と、二つのグリル板４１０がヒンジ結合されるが、前記第１加熱手段３１０と第２加熱手段３２０との間に前記第１加熱手段３１０と第２加熱手段３２０と一定距離離隔されて前記水平フレーム１２０と垂直となるように前記胴体１００に挿入されるグリル４００とを含むが、前記第１加熱手段３１０と第２加熱手段３２０は前記打孔板３１１、３２１が対向するように前記胴体１００に挿入されることを特徴とする。
【００１７】
また、前記水平フレーム１２０は、前記グリル４００を固定するグリル固定部１２１と前記加熱部３００とを固定する加熱部固定部１２２が形成されることを特徴とする。
【００１８】
また、前記加熱部３００は、前記加熱部３００の内部に前記加熱部３００の底面と熱源との間に空間を形成する空間形成手段３３０と、前記空間形成手段３３０の上部に備えられ、熱源の位置を固定する位置固定手段３４０とが備えられることを特徴とする。
【００１９】
また、前記加熱部３００は、前記打孔板３１１、３２１が開放されることを防止する固定手段３５０がさらに設置されることを特徴とする。
【発明の効果】
【００２０】
以上のように本発明によれば、側面直火焼き装置の胴体に肉が挟まれるグリルを垂直に挿入し、グリルの両側にそれぞれ熱源が収容された加熱部を配置して肉の両面が同時に均一に焼けるようにする側面直火焼き装置を提供する効果がある。
【００２１】
また、肉の両面が同時に焼けるようにして肉を裏返さなくてもよく、焼く時間を短縮することができるという効果を奏する。
【００２２】
また、肉が挟まれたグリルと加熱部との距離を調節することができるので、熱源の火力によって距離を調節して肉を焼く過程で肉が焦げないようにし、肉が焼ける程度を最適な状態に調節可能にして肉の味と肉質を向上させることができるという効果を奏する。
【００２３】
また、肉から発生する油が使用者に跳ねず、下部に集まるように誘導することができるので、油による火傷の危険がなく、油が熱源に直接落ちないので、それによるダイオキシンなどの有害物質の発生を防止し、煙と煤が発生せず、肉の焦げなどを防止することができるため、肉の味と使用の便宜性を向上させることができるという効果を奏する。
【図面の簡単な説明】
【００２４】
【図１】本発明による側面直火焼き装置の斜視図である。
【図２】本発明による側面直火焼き装置加熱部の分解斜視図である。
【図３】本発明による側面直火焼き装置胴体と壁体の正面図である。
【図４】本発明による側面直火焼き装置の正面図である。
【図５】本発明による側面直火焼き装置加熱部の側面図である。
【発明を実施するための形態】
【００２５】
本発明の実施例に対する利点及び特徴、並びにそれらを達成する方法は、添付図面と共に詳細に後述されている実施例を参照すれば明確になる。しかし、本発明は、以下で開示される実施例に限定されるものではなく、相互異なる多様な形態で具現されることができ、単に本実施例は、本発明の開示が完全であるようにし、本発明が属する技術分野において通常の知識を有する者にとって、発明の範囲を完全に周知させるために提供されるものであり、本発明は特許請求の範囲によって定義されるだけである。明細書全体にわたって同一の参照符号は同一の構成要素を示す。
【００２６】
本発明の実施例を説明することにおいて、公知機能または構成に対する具体的な説明が本発明の要旨を不要に濁し得ると判断される場合には、その詳細な説明を省略する。そして、後述する用語は、本発明の実施例における機能を考慮して定義された用語であって、これは使用者、運用者の意図または慣例などによって異なり得る。故に、その定義は本明細書全般にわたる内容に基づいて解釈されるべきである。
【００２７】
以下、添付図面を参照して本発明の実施例を詳しく説明する。
【００２８】
図１は本発明による側面直火焼き装置の斜視図であり、図２は本発明による側面直火焼き装置加熱部の分解斜視図であり、図３は本発明による側面直火焼き装置胴体と壁体の正面図であり、図４は本発明による側面直火焼き装置の正面図であり、図５は本発明による側面直火焼き装置加熱部の側面図である。本明細書の図１には第２加熱手段のみが図示されており、第１加熱手段は省略している。
【００２９】
本発明による側面直火焼き装置は、胴体１００と、壁体２００と、加熱部３００と、グリル４００とを含んでなることができる。本発明の側面直火焼き装置を利用して肉はもちろん、多様な野菜などの食べ物を焼くことができる。
【００３０】
まず、前記胴体１００は、支持台として用いられる複数の垂直フレーム１１０と、前記垂直フレーム１１０の上部と下部に前記垂直フレーム１１０と直交するように連結される複数の水平フレーム１２０とで形成されることができる。
【００３１】
このように構成された前記胴体１００は、腐食に強い非鉄金属材質を用いたり、合成樹脂、強度の優れた高強度合成樹脂であるエンジニアリングプラスチック材質または強度が優れながらも腐食に強いステンレス材質を用いて製作することができる。
【００３２】
前記水平フレーム１２０には、前記グリル４００を固定するグリル固定部１２１と前記加熱部３００を固定する加熱部固定部１２２が複数の前記水平フレーム１２０に互いに対称する位置に形成され得るが、前記グリル固定部１２１は前記水平フレーム１２０の中間部に形成され、前記加熱部固定部１２２は前記グリル固定部１２１の両側に対称するように一定間隔で複数形成されることができる。
【００３３】
前記加熱部固定部１２２を複数形成して熱源の火力によって前記加熱部３００が挿入される位置を選択的に調節して熱源と焼きの対象となる肉との間隔を簡便に調節して強火で肉が焦げたり、または弱火で肉が十分に焼けていない現象を防止することができる。
【００３４】
この時、前記グリル固定部１２１と加熱部固定部１２２は、それぞれ前記グリル４００と加熱部３００が安着されるように形成された溝またはガイドレールで形成されることができる。
【００３５】
前記壁体２００は前記胴体１００の上面に形成され、熱を反射させる素材で形成されることができる。
【００３６】
前記壁体２００は、前記胴体１００の上部へ熱が放出されないようにすることで、前記側面直火焼き装置の周辺の人に熱が伝わらないようにし、焼けた肉を移しておいたり、焼き用生肉を積み置いたりすることができ、食器類などを載置することができるテーブルの役割も可能である。
【００３７】
また、前記胴体１００の上部に形成された前記壁体２００には、補助加熱部（図示しない）がさらに備えられることができ、後述の加熱部３００により焼けた肉は、前記補助加熱部を利用して冷めないように使用者の嗜好に合う温度で保持されることができる。この時、前記補助加熱部は高さの調節が可能に備えられることができる。
【００３８】
また、前記補助加熱部は傾斜するように備えられ、前記補助加熱部に置かれる肉から発生する油の排出を容易にすることができ、この時、前記壁体２００に油孔がさらに形成され、前記補助加熱部と前記油孔を連結部で連結して油が後述の油受けに誘導されるようにすることができる。
【００３９】
前記補助加熱部はガスバーナなどの加熱手段であり得る。
【００４０】
また、前記壁体２００には、前記壁体２００の選択された空間に中空（図示しない）がさらに形成されて形成された中空で焼こうとする肉を挿入することができる。この時、肉は、肉の挿入及び固定のための別途の装置により挿入及び固定されることができる。前記中空には開閉可能な蓋が形成されることができる。これによって、肉が前記側面直火焼き装置の上部で挿入されて焼けることができるので、前記側面直火焼き装置の活用度を向上させることができる長所があり、肉を挿入するための別途の装置が備えられるため、火気による使用者の負傷が防止されて安全事故を予防することができる。
【００４１】
また、前記壁体２００は、前記胴体１００の後面及び側面にもさらに設置されて前記側面直火焼き装置の周辺へ熱が放出されることを防止することができる。
【００４２】
また、前記壁体２００は、内部の熱を外部へ伝達しないと同時に、使用者が内部を確認することができるように耐熱強化ガラスで製作されることができる。
【００４３】
また、前記壁体２００は、前記胴体１００を囲むかまどの形態で形成されることもでき、この場合に前記壁体２００は土で形成されることができる。 
前記加熱部３００は、上部が開放された直方体状に形成されて熱源が収容されるが、開放された上部に開閉可能に打孔板３１１、３２１が結合され、底面に複数の中空として気孔３１２、３２２が形成され、一側面に取っ手３１３、３２３が突出形成され、底面が前記水平フレーム１２０と垂直となるように前記胴体１００に挿入される第１加熱手段３１０と第２加熱手段３２０とを含んでなることができる。
【００４４】
この時、前記第１加熱手段３１０と第２加熱手段３２０は、前記打孔板３１１、３２１が相対するように前記胴体１００に挿入され、したがって前記グリル４００の両方から熱を供給することで、肉の両面を同時に焼くことができるため肉を焼く時間が短縮されることができる。
【００４５】
前記熱源は薪や炭などで備えられることができる。
【００４６】
前記打孔板３１１、３２１は、前記加熱部３００の幅より長く形成され得るが、添付図面のように、溝に形成された前記加熱部固定部１２２に前記打孔板３１１、３２１の一部分が安着されて前記加熱部３００が前記胴体１００に挿入されて固定されることができる。
【００４７】
また、前記加熱部３００の一側には、前記打孔板３１１、３２１が閉じられた場合、開放されることを防止するために固定手段３５０がさらに設置され得るが、前記固定手段３５０は、添付図面のようにスプリングの張力を利用した装置であり得ると共に、前記固定手段３５０はこれに限定されず、前記打孔板３１１、３２１の閉じられた状態を保持することができる装置であれば、何れでも適用可能である。
【００４８】
一方、前記加熱部３００の底面には、複数の中空として気孔３１２、３２２が形成されるが、前記気孔３１２、３２２は、前記加熱部３００の内部へ外部の空気が流入されるようにして熱源に新鮮な空気を供給することで、加熱部３００の火力を増加させ、灰の発生量を減らすことができる。
【００４９】
また、前記加熱部３００の側面に通孔３６０をさらに形成して外部との空気循環効率を高められるように形成することができる。
【００５０】
したがって、前記気孔３１２、３２２と通孔３６０により前記加熱部３００の内部へ熱源の燃焼に必要な酸素の供給を円滑に行うことができる。
【００５１】
また、前記加熱部３００の底面には、着火炭固定枠（図示しない）がさらに形成され得るが、前記着火炭固定枠には前記熱源の点火を容易にするために着火炭が備えられることができ、必要に応じて前記熱源と着火炭を共に用いて前記加熱部３００の火力を高めることができる。
【００５２】
また、前記加熱部３００は、ステンレス材質で小型のコッヘルに製作されて手軽なキャンピング用としても用いることができる。
【００５３】
前記グリル４００は、四角形に形成された二つのグリル板４１０がヒンジ結合されるが、前記第１加熱手段３１０と第２加熱手段３２０との間に前記第１加熱手段３１０と第２加熱手段３２０と一定距離で離隔されて前記水平フレーム１２０と垂直となるように前記胴体１００に挿入される。
【００５４】
焼こうとする肉は二つの前記グリル４００板の間に挟まれ、前記胴体１００に前記グリル４００が挿入されるため、前記グリル４００の両側に位置した前記第１加熱手段３１０と第２加熱手段３２０により焼けることができる。 
この時、前記グリル４００は、前記水平フレーム１２０に形成された前記グリル固定部１２１により固定されるため、ヒンジ結合された二つのグリル板４１０が離れず、閉じられた状態を保持することができる。
【００５５】
また、前記グリル４００には、二つの前記グリル板４１０が離れることを防止可能なグリル固定手段（図示しない）がさらに形成されることができる。
【００５６】
また、前記グリル４００には、前記胴体１００に挿入または離脱させることが容易であるように取っ手がさらに形成されることができる。
【００５７】
前記グリル４００は、前記水平フレーム１２０と垂直に挿入されるので、肉が焼けている時、肉から発生する油が前記グリル４００に沿って落ち、前記側面直火焼き装置の下部に集まることになる。この時、流れる油を回収するために前記胴体１００には油受け（図示しない）がさらに備えられることができる。
【００５８】
前記のように前記グリル４００が前記水平フレーム１２０と垂直に挿入されて肉を焼く時に発生する油が下に流れるので、前記側面直火焼き装置の周辺にいる人に油が跳ねることを防止することができ、また、油が熱源に落ちないので熱源から煙が発生せず、肉に煤が発生しないため肉の味を向上させることができる。
【００５９】
また、前記グリル４００は、四角形のグリル板と菱形のグリル板とがヒンジ結合されて形成され得るが、このように形成されるグリル４００は、肉から発生した油が菱形のグリル板の端に沿って流れるため、油が一所へ流れるように誘導することができる。したがって、肉から発生した油が流れるように誘導して油の処理を簡便にすることができる。
【００６０】
また、前記加熱部３００の内部には、前記加熱部３００の底面と熱源との間に空間を形成する空間形成手段３３０がさらに備えられることができる。
【００６１】
前記空間形成手段３３０は、熱源が前記加熱部３００の底面と直接的に触れないようにするものであって、底面と同じ形態で形成され、熱源が底面から離隔されることができるように一定の高さを有し、複数の打孔が形成される。
【００６２】
複数の打孔が形成された前記空間形成手段３３０によって熱源と底面とが触れないので、空気循環効率を高めて熱源に空気が十分に供給されることができる。
【００６３】
また、前記空間形成手段３３０は、熱源が前記加熱部３００に収納され得る空間を限定することができるので、使用者は所望するだけの熱源のみを使用することができる。
【００６４】
例えば、前記空間形成手段３３０を備えずに、少量の熱源を前記加熱部３００に入れて垂直に前記胴体１００に挿入すると、熱源が前記加熱部３００の内部で地面方向に偏って特定の部分に密集されるため、前記グリル４００に熱を均一に伝達することができず、前記グリル４００の上部にある肉は火が通っておらず、前記グリル４００の下部にある肉にのみ熱が加えられて下部の肉のみが焼けたり、焦げたりするという問題点がある。したがって、前記空間形成手段３３０を備えることで、熱源が位置する空間の大きさを限定して前記加熱部３００の内部で熱源が特定の部分に密集することを防止して前記グリル４００に熱を均一に加えることができる。
【００６５】
また、前記加熱部３００の内部には、熱源の位置を固定する位置固定手段３４０が備えられることができる。前記位置固定手段３４０は、前記加熱部３００が前記胴体１００に垂直に挿入された場合、地面方向に熱源が偏る現象を防止して熱源を前記加熱部３００の内部に均一に位置するように支持することで、前記グリル４００に熱を均一に加えて肉を焼くことができる。したがって、肉が均一に焼けるため味がよくなり、焼く時間が短縮され、一部分の肉が焦げることを防止することができる。 
前記位置固定手段３４０は複数の板３４１が垂直に連結され、前記板により区画空間３４２が形成され、前記位置固定手段３４０は好ましくは、添付図面のように‘＃’状に形成されることができ、その形状はこれに限定されないことはもちろんである。
【００６６】
前記位置固定手段３４０が前記加熱部３００の内部に備えられると、前記位置固定手段３４０の前記区画空間３４２に熱源が位置することになり、したがって、前記加熱部３００が前記胴体１００に垂直に挿入されても熱源が地面方向に偏る現象が防止されて前記グリル４００に均一に熱を伝達することができるので、肉に均一に火を通すことができる。
【００６７】
前記空間形成手段３３０と位置固定手段３４０は、前記加熱部３００の内部に独立的に備えられるか、共に備えられることができ、共に備えられる場合には、前記位置固定手段３４０が前記空間形成手段３３０の上部に備えられることが好ましい。
【００６８】
また、前記側面直火焼き装置には、前記側面直火焼き装置の内部温度を確認するための温度計がさらに設置されることができる。
【００６９】
前記のような本発明による側面直火焼き装置は、肉が挟まれるグリル４００を前記胴体１００に垂直に挿入し、肉の両方に熱源を設置して肉の両面を同時に焼くことができるので焼く時間を短縮し、肉から発生する油が下部に流れて使用者に跳ねず、熱源へ油が落ちないので熱源から煙が発生せず、肉が煤けないという長所がある。
【００７０】
また、肉と加熱部との距離を調節して火力が強い場合には、肉と加熱部との距離を遠くして肉が焦げることを防止し、火力が弱い場合には、肉と加熱部との距離を近くして肉が十分に火を通していないことを防止することができるので、肉内の水分と肉汁の含量を適当に保持しながら肉の表面が焦げないように焼くことができるため、肉の味を向上させることができる。
【００７１】
また、熱源の燃焼時に発生する炎が直接肉に接触しないため、肉の変形や一定時間が過ぎてから硬化する現象を防止することができる。
【００７２】
以上の説明では、本発明の多様な実施例を提示して説明したが、本発明が必ずこれに限定されるものではなく、本発明が属する技術分野において通常の知識を有する者であれば、本発明の技術的思想を逸脱しない範囲内で様々な置換、変形及び変更が可能であることを容易に理解すべきである。 
１００…胴体
１１０…垂直フレーム
１２０…水平フレーム 
１２１…グリル固定部
１２２…加熱部固定部
２００…壁体
３００…加熱部 
３１０…第１加熱手段
３２０…第２加熱手段 
３１１、３２１…打孔板
３１２、３２２…気孔 
３１３、３２３…取っ手
３３０…空間形成手段 
３４０…位置固定手段
３５０…固定手段 
３６０…通孔
４００…グリル 
４１０…グリル板
【図１】
2018510756.tif 000003
【図２】
2018510756.tif 000004
【図３】
2018510756.tif 000005
【図４】
2018510756.tif 000006
【図５】
2018510756.tif 000007
【国際調査報告】
2018510756.tif 000008
2018510756.tif 000009
2018510756.tif 000010
2018510756.tif 000011